(57)【特許請求の範囲】
【請求項１】
建物内または室内の雰囲気の温度を検出するセンサ（１）、そのセンサ（１）によって検出されたデータを記憶する記録装置（３）、温度範囲によって予め定められた温度評価レベル（Ａ，Ｂ，Ｃ，・・・）を用いて前記データを演算処理し、そしてその演算処理された値を虫の生育・活動予測レベル（Ｐ，Ｑ，Ｒ，Ｓ，・・・）を用いて演算処理するコンピュータ本体（５）の演算処理装置（６）、前記温度評価レベルおよび前記虫の生育・活動予測レベルが記録されている記録媒体（７）、並びに伝達媒体（８）を使用する、建物内または室内における虫の生育・活動し易さを予測する方法であって、
１) 虫の生育・活動し易さを予測すべき建物内または室内の雰囲気の温度を前記センサ      （１）により所定の期間にわたり断続的にＮ回検出して、これらを前記記録装置        （３）に記憶させるステップと、
２) 前記演算処理装置（６）により、前記記録装置（３）に記憶された各回毎の温度を      、前記記録媒体（７）に記録されている前記温度評価レベルと順次照合して、これ      らの温度が前記温度評価レベル（Ａ，Ｂ，Ｃ，・・・）のどれに属するかを識別す      るステップと、
３) 前記２) の識別操作が前記１) の検出操作に応じＮ回繰り返されることによって識      別される前記温度評価レベル（Ａ，Ｂ，Ｃ，・・・）のうちの各レベル（Ａ，Ｂ，      Ｃ，・・・）の頻度（ｎa ，ｎb ，ｎc ，・・・）を、前記演算処理装置（６）に      よりそれぞれカウントするステップと、
４) 前記の繰り返し回数Ｎに対する前記頻度（ｎa ，ｎb ，ｎc ，・・・）の各比の値      （ｎa ／Ｎ，ｎb ／Ｎ，ｎc ／Ｎ，・・・）を前記演算処理装置（６）によりそれ      ぞれ算出するステップと、
５) 前記比の値（ｎa ／Ｎ，ｎb ／Ｎ，ｎc ／Ｎ，・・・）のうちから選ばれる少なく      とも２種の比の値について、その値の合計値を前記演算処理装置（６）により算出      するステップと、
６) 前記演算処理装置（６）により、前記比の値（ｎa ／Ｎ，ｎb ／Ｎ，ｎc ／Ｎ，・      ・・）のうちのいずれか１種の比の値、前記５) の操作により算出された合計値お      よび前記頻度（ｎa ，ｎb ，ｎc ，・・・）のうちから選ばれる１つまたは２つ以      上の値または頻度、あるいはこの値と頻度との両者を、これらについて予め設定さ      れ、かつ前記記録媒体（７）に記録されている、区分された複数の数値範囲または      頻度の大小関係またはこの両者で表される評価式で構成される虫の生育・活動予測      レベル（Ｐ，Ｑ，Ｒ，Ｓ，・・・）と順次照合して、前記値または頻度、あるいは この値と頻度との両者が前記虫の生育・活動予測レベル（Ｐ，Ｑ，Ｒ，Ｓ，・・・      ）のどれに相当するのかを判定するステップと、
７) 前記判定された虫の生育・活動予測レベルを虫の生育・活動し易さの予測の目安と      して、伝達媒体（８）を通じて監視者に知らせるステップと、
を有することを特徴とする方法。
【請求項２】
建物内または室内の雰囲気の温度を検出するセンサ（１）と、そのセンサ（１）によって検出されたデータを記憶する記録装置（３）と、前記記録装置（３）から入力された前記データを演算処理するコンピュータ本体（５）の演算処理装置（６）と、前記演算処理装置（６）における処理で用いられる記録媒体（７）と、並びに前記演算処理装置（６）の処理によって得られた情報を入力して監視者に伝達するための伝達媒体（８）とが備えられている、建物内または室内の虫の生育・活動し易さを予測するシステムであって、前記演算処理装置（６）が、
１) 前記センサ（１）により所定の期間にわたり断続的にＮ回検出されて、前記記録装      置（３）に記憶された各回毎の前記温度を、前記記録媒体（７）に記録されている      温度評価レベル（Ａ，Ｂ，Ｃ，・・・）と順次照合してこれらの温度が前記温度評      価レベル（Ａ，Ｂ，Ｃ，・・・）のどれに属するかを識別し、
２) 前記１) の識別操作がＮ回繰り返されることによって識別される前記温度評価レベ      ル（Ａ，Ｂ，Ｃ，・・・）のうちの各レベル（Ａ，Ｂ，Ｃ，・・・）の頻度（ｎa       ，ｎb ，ｎc ，・・・）をそれぞれカウントし、
３) 前記の繰り返し回数Ｎに対する前記頻度（ｎa ，ｎb ，ｎc ，・・・）の各比の値      （ｎa ／Ｎ，ｎb ／Ｎ，ｎc ／Ｎ，・・・）をそれぞれ算出し、
４) 前記比の値（ｎa ／Ｎ，ｎb ／Ｎ，ｎc ／Ｎ，・・・）のうちから選ばれる少なく      とも２種の比の値について、その値の合計値を算出し、
５) 前記比の値（ｎa ／Ｎ，ｎb ／Ｎ，ｎc ／Ｎ，・・・）のうちのいずれか１種の比      の値、前記４) の操作により算出された合計値および前記頻度（ｎa ，ｎb ，ｎc       ，・・・）のうちから選ばれる１つまたは２つ以上の値または頻度、あるいはこの 値と頻度との両者を、これらについて予め設定され、かつ前記記録媒体（７）に記      録されている、区分された複数の数値範囲または頻度の大小関係またはこの両者で      表される評価式で構成される虫の生育・活動予測レベル（Ｐ，Ｑ，Ｒ，Ｓ，・・・      ）と順次照合して、前記値または頻度、あるいはこの値と頻度との両者が前記虫の      生育・活動予測レベル（Ｐ，Ｑ，Ｒ，Ｓ，・・・）のどれに相当するのかを判定し      、そして
６) 前記の判定された虫の生育・活動予測レベルを虫の生育・活動し易さの予測の目安      として、伝達媒体（８）に出力する、
機能を有することを特徴とするシステム。
【請求項３】
モニタリング機能、デ−タ管理機能および環境アドバイス機能のうちのいずれかの機能を少なくとも１つが備えられている、請求項２記載のシステム。
【請求項４】
建物内または室内の雰囲気の温度を検出するセンサ（１）、そのセンサ（１）によって検出されたデータを記憶する記録装置（３）、温度範囲によって予め定められた温度評価レベル（Ａ，Ｂ，Ｃ，・・・）を用いて前記データを演算処理し、そしてその演算処理された値を虫の生育・活動予測レベル（Ｐ，Ｑ，Ｒ，Ｓ，・・・）を用いて演算処理するコンピュータ本体（５）の演算処理装置（６）、および前記演算処理装置（６）の処理によって得られた情報を、虫の生育・活動し易さの予測の目安として、監視者に知らせる伝達媒体（８）を使用する、建物内または室内の虫の生育・活動し易さを予測する方法であって、
１) 前記センサ（１）により所定の期間にわたり断続的にＮ回検出されて、前記記録装      置（３）に記憶された各回毎の温度を、前記温度評価レベルと順次照合して、これ      らの温度が前記温度評価レベル（Ａ，Ｂ，Ｃ，・・・）のどれに属するかを識別す      るステップと、
２) 前記１) の識別操作がＮ回繰り返されることによって識別される前記温度評価レベ      ル（Ａ，Ｂ，Ｃ，・・・）のうちの各レベル（Ａ，Ｂ，Ｃ，・・・）の頻度（ｎa       ，ｎb ，ｎc ，・・・）をそれぞれカウントするステップと、
３) 前記の繰り返し回数Ｎに対する前記頻度（ｎa ，ｎb ，ｎc ，・・・）の各比の値      （ｎa ／Ｎ，ｎb ／Ｎ，ｎc ／Ｎ，・・・）をそれぞれ算出するステップと、
４) 前記比の値（ｎa ／Ｎ，ｎb ／Ｎ，ｎc ／Ｎ，・・・）のうちから選ばれる少なく      とも２種の比の値について、その値の合計値を算出するステップと、
５) 前記比の値（ｎa ／Ｎ，ｎb ／Ｎ，ｎc ／Ｎ，・・・）のうちのいずれか１種の比      の値、前記４) の操作により算出された合計値および前記頻度（ｎa ，ｎb ，ｎc       ，・・・）のうちから選ばれる１つまたは２つ以上の値または頻度、あるいはこの 値と頻度との両者を、これらについて予め設定され、かつ前記記録媒体（７）に記      録されている、区分された複数の数値範囲または頻度の大小関係またはこの両者で      表される評価式で構成される虫の生育・活動予測レベル（Ｐ，Ｑ，Ｒ，Ｓ，・・・      ）と順次照合して、前記値または頻度、あるいはこの値と頻度との両者が前記虫の      生育・活動予測レベル（Ｐ，Ｑ，Ｒ，Ｓ，・・・）のどれに相当するのかを判定す      るステップと、
６) 前記の判定された虫の生育・活動予測レベルを虫の生育・活動し易さの予測の目安      として、伝達媒体（８）を通じて監視者に知らせるステップと、
７) 前記の判定された虫の生育・活動予測レベルを伝達媒体（８）に入力させるステッ      プと、
を有する方法をコンピュータに実行させるためのプログラムおよびデータが記録されている、コンピュータ読み取り可能な記録媒体。
【請求項５】
建物内または室内の雰囲気の温度を検出するセンサ（１）、そのセンサ（１）によって検出されたデータを記憶する記録装置（３）、温度範囲によって予め定められた温度評価レベル（Ａ，Ｂ，Ｃ，・・・）を用いて前記デ−タを演算処理するコンピュ−タ本体（５）の演算処理装置（６）、前記温度評価レベルおよび虫の成長期間（Ｄ）を算出するための計算式が記録されている記録媒体（７）、および伝達媒体（８）を使用する、建物内または室内における虫の成長期間（Ｄ）を予測する方法であって、
１) 虫の成長期間を予測すべき建物内または室内の雰囲気の温度を前記センサ（１）によりｄ日間にわたり断続的に検出して、このｄ日間の単位日数毎の代表的な温度をそれぞれ前記記録装置（３）に記憶させるステップと、
２) 前記演算処理装置（６）により、前記記録装置（３）に記憶された単位日数毎の温度を、前記記録媒体（７）に記録されている前記温度評価レベル（Ａ，Ｂ，Ｃ，・・・）と順次照合して、これらの温度が前記温度評価レベル（Ａ，Ｂ，Ｃ，・・・）のどれに属するかを識別するステップと、
３) 前記２) の識別操作が前記１) の検出操作に応じ所定の回数繰り返されることによって識別される前記温度評価レベル（Ａ，Ｂ，Ｃ，・・・）のうちの各レベル（Ａ，Ｂ，Ｃ，・・・）に該当する日数（ｄa ，ｄb ，ｄc ，・・・）を、前記演算処理装置（６）によりそれぞれカウントするステップと、
４) 前記日数（ｄa ，ｄb ，ｄc ，・・・）と、その日数の合計日数である前記温度測定日数（ｄ）と、前記温度評価レベルの各レベル（Ａ，Ｂ，Ｃ，・・・）に対応してそれぞれ予め定められている係数（ａ，ｂ，ｃ，・・・）と、虫の種類により特定される固有の最短成長日数（Ｘ）とに基づいてその虫の成長期間（Ｄ）を算出するための前記計算式を用いて、前記カウントされた日数（ｄa ，ｄb ，ｄc ，・・・）から、前記演算処理装置（６）により、虫の成長期間（Ｄ）を算出するステップと、
５）前記算出された虫の成長期間（Ｄ）を、伝達媒体（８）を通じて監視者に知らせるステップと、
を有することを特徴とする方法。
【請求項６】
前記計算式が、
Ｄ＝｛（ａ・ｄa ＋ｂ・ｄb ＋ｃ・ｄc ＋・・・）／ｄ｝×Ｘ
〔式中、Ｄ、ａ，ｂ，ｃ，・・・、ｄa ，ｄb ，ｄc ，・・・、ｄおよびＸは、いずれも前記に示される意味を有し、ｄa ＋ｄb ＋ｄc ＋・＋・＋・＝ｄである。〕
で表される請求項５記載の方法。
【請求項７】
建物内または室内の雰囲気の温度を検出するセンサ（１）と、そのセンサ（１）によって検出されたデ−タを記憶する記録装置（３）と、前記記録装置（３）から入力された前記デ−タを演算処理するコンピュ−タ本体（５）の演算処理装置（６）と、温度評価レベル（Ａ，Ｂ，Ｃ，・・・）および虫の成長期間（Ｄ）を予測するための計算式が記録されている記録媒体（７）と、並びに前記演算処理装置（６）の処理によって得られた情報を入力して監視者に伝達するための伝達媒体（８）とが備えられている、建物内または室内の虫の成長期間（Ｄ）を予測するシステムであって、前記演算処理装置（６）が、
１) 前記センサ（１）によりｄ日間にわたり断続的に検出されて、前記記録装置（３）に記憶された前記ｄ日間の単位日数毎の代表的な温度を前記記録媒体（７）に記録されている温度評価レベル（Ａ，Ｂ，Ｃ，・・・）と順次照合して、これらの温度が前記温度評価レベル（Ａ，Ｂ，Ｃ，・・・）のどれに該当するかを識別し、
２) 前記１) の識別操作がｄ日間にわたり繰り返されることによって識別される前記温度評価レベル（Ａ，Ｂ，Ｃ，・・・）のうちの各レベル（Ａ，Ｂ，Ｃ，・・・）に該当する日数（ｄa ，ｄb ，ｄc ，・・・）をそれぞれカウントし、
３) 前記日数（ｄa ，ｄb ，ｄc ，・・・）と、その日数の合計日数である前記温度測定した日数（ｄ）と、前記温度評価レベルの各レベル（Ａ，Ｂ，Ｃ，・・・）に対応してそれぞれ予め定められている係数（ａ，ｂ，ｃ，・・・）と、虫の種類により特定される固有の最短成長日数（Ｘ）とに基づいてその虫の成長期間（Ｄ）を算出するための前記計算式を用いて、前記カウントされた日数（ｄa ，ｄb ，ｄc ，・・・）から、虫の成長期間（Ｄ）を算出し、
４) 前記算出された虫の成長期間（Ｄ）を伝達媒体（８）に出力する、
機能を有することを特徴とするシステム。
【請求項８】
前記計算式が、
Ｄ＝｛（ａ・ｄa ＋ｂ・ｄb ＋ｃ・ｄc ＋・・・）／ｄ｝×Ｘ
〔式中、Ｄ、ａ，ｂ，ｃ，・・・、ｄa ，ｄb ，ｄc ，・・・、ｄおよびＸは、いずれも前記に示される意味を有し、ｄa ＋ｄb ＋ｄc ＋・＋・＋・＝ｄである。〕
で表される請求項７記載のシステム。
【請求項９】
モニタリング機能、デ−タ管理機能および環境アドバイス機能のうちのいずれかの機能を少なくとも１つが備えられている、請求項７または８記載のシステム。
【請求項１０】
建物内または室内の雰囲気の温度を検出するセンサ（１）、そのセンサ（１）によって検出されたデータを記憶する記録装置（３）、温度範囲によって予め定められた温度評価レベル（Ａ，Ｂ，Ｃ，・・・）を用いて前記デ−タを演算処理するコンピュ−タ本体（５）の演算処理装置（６）、および前記演算処理装置（６）の処理によって得られた情報を監視者に知らせる伝達媒体（８）を使用する、建物内または室内における虫の成長期間（Ｄ）を予測する方法であって、
１) 前記センサ（１）によりｄ日間にわたり断続的に検出されて、前記記録装置（３）に記憶された前記ｄ日間の単位日数毎の代表的な温度を前記温度評価レベルと順次照合して、これらの各温度が前記温度評価レベル（Ａ，Ｂ，Ｃ，・・・）のどれに該当するかを識別するステップと、
２) 前記１) の識別操作がｄ日間にわたり繰り返されることによって識別される前記温度評価レベル（Ａ，Ｂ，Ｃ，・・・）のうちの各レベル（Ａ，Ｂ，Ｃ，・・・）に該当する日数（ｄa ，ｄb ，ｄc ，・・・）をそれぞれカウントするステップと、
３) 前記２) の操作によってカウントされた日数（ｄa ，ｄb ，ｄc ，・・・）から、計算式を用いて、虫の成長期間（Ｄ）を算出するステップと、
４）前記算出された虫の成長期間（Ｄ）を伝達媒体（８）に入力させるステップと、
を有する方法を、コンピュ−タに実行させるためのプログラム、デ−タ、および前記日数（ｄa ，ｄb ，ｄc ，・・・）と、その日数の合計日数である前記温度測定日数（ｄ）と、前記温度評価レベルの各レベル（Ａ，Ｂ，Ｃ，・・・）に対応してそれぞれ予め定められている係数（ａ，ｂ，ｃ，・・・）と、虫の種類により特定される固有の最短成長日数（Ｘ）に基づいてその虫の成長期間（Ｄ）を算出するための前記計算式が記録されている、コンピュ−タ読み取り可能な記録媒体（７）。
【請求項１１】
前記計算式が、
Ｄ＝｛（ａ・ｄa ＋ｂ・ｄb ＋ｃ・ｄc ＋・・・）／ｄ｝×Ｘ
〔式中、Ｄ、ａ，ｂ，ｃ，・・・、ｄa ，ｄb ，ｄc ，・・・、ｄおよびＸは、いずれも前記に示される意味を有し、ｄa ＋ｄb ＋ｄc ＋・＋・＋・＝ｄである。〕
で表される請求項１０記載の記録媒体。
【発明の詳細な説明】
【０００１】
【発明の属する技術分野】
本発明は、統計的な手法を用いて、建物内または室内、特に虫の生育・活動が問題となる美術館、博物館または食料倉庫等の建物内またはその室内で虫の生育・活動、並びにその虫の成長期間を予測する方法、システムおよびそれらに使用される記録媒体に関するものである。
【０００２】
【従来の技術】
様々な建物や室内、特に、貴重な展示物や収蔵物または保存食料等が保管されている美術館、博物館または食料倉庫等においては、厳重な保存環境が要求されており、これらの保存品の汚損や劣化または保存食料の汚損の重大な原因となる様々な虫の発生・活動に対しては従来格別の注意が払われている。従来、このような虫の発生・活動を防止するには、例えば、それらの場所に殺虫剤を散布するか、またはそこで殺虫性の燻蒸剤を燻蒸させている。
【０００３】
しかし、このような薬剤による虫の防除方法では、それによる効果を徹底させるために、虫の生育・活動の状態や虫の成長期間を格別に、あるいは精密に隈なく観察または予測すること無く薬剤を適用していたために、満足な防除が達成されなかったり、あるいは過度に頻繁に、または殆ど効果がない時期に、例えば駆除すべき虫が卵である時期に薬剤が適用されることによって、過剰な薬剤が無駄に使用されたり、その使用や使用後の処理、例えば建物内または部屋内に充満している燻蒸剤の放散・除去等に要する手数や手間が余分に掛かるという問題があった。
【０００４】
【発明が解決しようとする課題】
このような訳で、建物または部屋、特に、貴重な展示物や収蔵物または保存食料等が保管されている美術館、博物館または食料倉庫等において、これらの内部に保管されている保存品の劣化または汚損につながる虫の生育・活動の状態やその虫の成長期間をできるだけ正確に、かつ容易に予測できる方法および装置またはシステムの開発が要望されていた。
【０００５】
本発明の目的は、前述の不都合が排除されるように、建物内または室内、特に虫の生育・活動が問題となる美術館、博物館または食料倉庫等の建物内またはその室内で虫の生育・活動、並びにその虫の成長期間を正確に、かつ容易に予測する方法、システムおよびそれらに使用される記録媒体を提供することにある。
【０００６】
【課題を解決するための手段】
上記の課題は、建物内または室内の雰囲気の温度を検出するセンサ（１）、そのセンサ（１）によって検出されたデータを記憶する記録装置（３）、温度範囲によって予め定められた温度評価レベル（Ａ，Ｂ，Ｃ，・・・）を用いて前記データを演算処理し、そしてその演算処理された値を虫の生育・活動予測レベル（Ｐ，Ｑ，Ｒ，Ｓ，・・・）を用いて演算処理するコンピュータ本体（５）の演算処理装置（６）、前記温度評価レベルおよび前記虫の生育・活動予測レベルが記録されている記録媒体（７）、並びに伝達媒体（８）を使用する、建物内または室内における虫の生育・活動し易さを予測する方法であって、
１) 虫の生育・活動し易さを予測すべき建物内または室内の雰囲気の温度を前記センサ      （１）により所定の期間にわたり断続的にＮ回検出して、これらを前記記録装置        （３）に記憶させるステップと、
２) 前記演算処理装置（６）により、前記記録装置（３）に記憶された各回毎の温度        を、前記記録媒体（７）に記録されている前記温度評価レベルと順次照合して、こ      れらの温度が前記温度評価レベル（Ａ，Ｂ，Ｃ，・・・）のどれに属するかを識別      するステップと、
３) 前記２) の識別操作が前記１) の検出操作に応じＮ回繰り返されることによって識      別される前記温度評価レベル（Ａ，Ｂ，Ｃ，・・・）のうちの各レベル（Ａ，Ｂ，      Ｃ，・・・）の頻度（ｎa ，ｎb ，ｎc ，・・・）を、前記演算処理装置（６）に      よりそれぞれカウントするステップと、
４) 前記の繰り返し回数Ｎに対する前記頻度（ｎa ，ｎb ，ｎc ，・・・）の各比の値      （ｎa ／Ｎ，ｎb ／Ｎ，ｎc ／Ｎ，・・・）を前記演算処理装置（６）によりそれ      ぞれ算出するステップと、
５) 前記比の値（ｎa ／Ｎ，ｎb ／Ｎ，ｎc ／Ｎ，・・・）のうちから選ばれる少なく      とも２種の比の値について、その値の合計値を前記演算処理装置（６）により算出      するステップと、
６) 前記演算処理装置（６）により、前記比の値（ｎa ／Ｎ，ｎb ／Ｎ，ｎc／Ｎ，・      ・・）のうちのいずれか１種の比の値、前記５) の操作により算出された合計値お      よび前記頻度（ｎa ，ｎb ，ｎc ，・・・）のうちから選ばれる１つまたは２つ以      上の値または頻度、あるいはこの値と頻度との両者を、これらについて予め設定さ      れかつ前記記録媒体（７）に記録されている、区分された複数の数値範囲または頻      度の大小関係またはこの両者で表される評価式で構成される虫の生育・活動予測レ      ベル（Ｐ，Ｑ，Ｒ，Ｓ，・・・）と順次照合して、前記値または頻度、あるいはこ の値と頻度との両者が前記虫の生育・活動予測レベル（Ｐ，Ｑ，Ｒ，Ｓ，・・・）      のどれに相当するのかを判定するステップと、
７) 前記判定された虫の生育・活動予測レベルを虫の生育・活動し易さの予測の目安と      して、伝達媒体（８）を通じて監視者に知らせるステップと、
を有することを特徴とする方法、
２．建物内または室内の雰囲気の温度を検出するセンサ（１）と、そのセンサ（１）によって検出されたデータを記憶する記録装置（３）と、前記記録装置（３）から入力された前記データを演算処理するコンピュータ本体（５）の演算処理装置（６）と、前記演算処理装置（６）における処理で用いられる記録媒体（７）と、並びに前記演算処理装置（６）の処理によって得られた情報を入力して監視者に伝達するための伝達媒体（８）とが備えられている、建物内または室内の虫の生育・活動し易さを予測するシステムであって、前記演算処理装置（６）が、
１) 前記センサ（１）により所定の期間にわたり断続的にＮ回検出されて、前記記録装      置（３）に記憶された各回毎の前記温度を、前記記録媒体（７）に記録されている      温度評価レベル（Ａ，Ｂ，Ｃ，・・・）と順次照合してこれらの温度が前記温度評      価レベル（Ａ，Ｂ，Ｃ，・・・）のどれに属するかを識別し、
２) 前記１) の識別操作がＮ回繰り返されることによって識別される前記温度評価レベ      ル（Ａ，Ｂ，Ｃ，・・・）のうちの各レベル（Ａ，Ｂ，Ｃ，・・・）の頻度（ｎa       ，ｎb ，ｎc ，・・・）をそれぞれカウントし、
３) 前記の繰り返し回数Ｎに対する前記頻度（ｎa ，ｎb ，ｎc ，・・・）の各比の値      （ｎa ／Ｎ，ｎb ／Ｎ，ｎc ／Ｎ，・・・）をそれぞれ算出し、
４) 前記比の値（ｎa ／Ｎ，ｎb ／Ｎ，ｎc ／Ｎ，・・・）のうちから選ばれる少なく      とも２種の比の値について、その値の合計値を算出し、
５) 前記比の値（ｎa ／Ｎ，ｎb ／Ｎ，ｎc ／Ｎ，・・・）のうちのいずれか１種の比      の値、前記４) の操作により算出された合計値および前記頻度（ｎa ，ｎb ，ｎc       ，・・・）のうちから選ばれる１つまたは２つ以上の値または頻度、あるいはこの 値と頻度との両者を、これらについて予め設定され、かつ前記記録媒体（７）に記      録されている、区分された複数の数値範囲または頻度の大小関係またはこの両者で      表される評価式で構成される虫の生育・活動予測レベル（Ｐ，Ｑ，Ｒ，Ｓ，・・・      ）と順次照合して、前記値または頻度、あるいはこの値と頻度との両者が前記虫の      生育・活動予測レベル（Ｐ，Ｑ，Ｒ，Ｓ，・・・）のどれに相当するのかを判定し      、そして
６) 前記の判定された虫の生育・活動予測レベルを虫の生育・活動し易さの予測の目安      として、伝達媒体（８）に出力する、
機能を有することを特徴とするシステム、
３．建物内または室内の雰囲気の温度を検出するセンサ（１）、そのセンサ（１）によって検出されたデータを記憶する記録装置（３）、温度範囲によって予め定められた温度評価レベル（Ａ，Ｂ，Ｃ，・・・）を用いて前記データを演算処理し、そしてその演算処理された値を虫の生育・活動予測レベル（Ｐ，Ｑ，Ｒ，Ｓ，・・・）を用いて演算処理するコンピュータ本体（５）の演算処理装置（６）、および前記演算処理装置（６）の処理によって得られた情報を、虫の生育・活動し易さの予測の目安として、監視者に知らせる伝達媒体（８）を使用する、建物内または室内の虫の生育・活動し易さを予測する方法であって、
１) 前記センサ（１）により所定の期間にわたり断続的にＮ回検出されて、前記記録装      置（３）に記憶された各回毎の温度を、前記温度評価レベルと順次照合して、これ      らの温度が前記温度評価レベル（Ａ，Ｂ，Ｃ，・・・）のどれに属するかを識別す      るステップと、
２) 前記１) の識別操作がＮ回繰り返されることによって識別される前記温度評価レベ      ル（Ａ，Ｂ，Ｃ，・・・）のうちの各レベル（Ａ，Ｂ，Ｃ，・・・）の頻度（ｎa       ，ｎb ，ｎc ，・・・）をそれぞれカウントするステップと、
３) 前記の繰り返し回数Ｎに対する前記頻度（ｎa ，ｎb ，ｎc ，・・・）の各比の値      （ｎa ／Ｎ，ｎb ／Ｎ，ｎc ／Ｎ，・・・）をそれぞれ算出するステップと、
４) 前記比の値（ｎa ／Ｎ，ｎb ／Ｎ，ｎc ／Ｎ，・・・）のうちから選ばれる少なく      とも２種の比の値について、その値の合計値を算出するステップと、
５) 前記比の値（ｎa ／Ｎ，ｎb ／Ｎ，ｎc ／Ｎ，・・・）のうちのいずれか１種の比      の値、前記４) の操作により算出された合計値および前記頻度（ｎa ，ｎb ，ｎc       ，・・・）のうちから選ばれる１つまたは２つ以上の値または頻度、あるいはこの 値と頻度との両者を、これらについて予め設定され、かつ前記記録媒体（７）に記      録されている、区分された複数の数値範囲または頻度の大小関係またはこの両者で      表される評価式で構成される虫の生育・活動予測レベル（Ｐ，Ｑ，Ｒ，Ｓ，・・・      ）と順次照合して、前記値または頻度、あるいはこの値と頻度との両者が前記虫の      生育・活動予測レベル（Ｐ，Ｑ，Ｒ，Ｓ，・・・）のどれに相当するのかを判定す      るステップと、
６) 前記の判定された虫の生育・活動予測レベルを虫の生育・活動し易さの予測の目安      として、伝達媒体（８）を通じて監視者に知らせるステップと、
７) 前記の判定された虫の生育・活動予測レベルを伝達媒体（８）に入力させるステッ      プと、
を有する方法をコンピュータに実行させるためのプログラムおよびデータが記録されている、コンピュータ読み取り可能な記録媒体、
４．建物内または室内の雰囲気の温度を検出するセンサ（１）、そのセンサ（１）によって検出されたデータを記憶する記録装置（３）、温度範囲によって予め定められた温度評価レベル（Ａ，Ｂ，Ｃ，・・・）を用いて前記データを演算処理するコンピュータ本体（５）の演算処理装置（６）、前記温度評価レベルおよび虫の成長期間（Ｄ）を算出するための計算式が記録されている記録媒体（７）、および伝達媒体（８）を使用する、建物内または室内における虫の成長期間（Ｄ）を予測する方法であって、
１) 虫の成長期間を予測すべき建物内または室内の雰囲気の温度を前記センサ（１）に
よりｄ日間にわたり断続的に検出して、このｄ日間の単位日数毎の代表的な温度を      それぞれ前記記録装置（３）に記憶させるステップと、
２) 前記演算処理装置（６）により、前記記録装置（３）に記憶させた単位日数毎の温      度を、前記記録媒体（７）に記録されている前記温度評価レベル（Ａ，Ｂ，Ｃ，・      ・・）と順次照合して、これらの温度が前記温度評価レベル（Ａ，Ｂ，Ｃ，・・        ・）のどれに属するかを識別するステップと、
３) 前記２) の識別操作が前記１) の検出操作に応じ所定の回数繰り返されることによ      って識別される前記温度評価レベル（Ａ，Ｂ，Ｃ，・・・）のうちの各レベル（        Ａ，Ｂ，Ｃ，・・・）に該当する日数（ｄa ，ｄb ，ｄc，・・・）を、前記演算      処理装置（６）によりそれぞれカウントするステップと、
４) 前記日数（ｄa ，ｄb ，ｄc ，・・・）と、その日数の合計日数である前記温度測      定日数（ｄ）と、前記温度評価レベルの各レベル（Ａ，Ｂ，Ｃ，・・・）に対応て      それぞれ予め定められている係数（ａ，ｂ，ｃ，・・・）と、虫の種類により特定      される固有の最短成長日数（Ｘ）とに基づいてその虫の成長期間（Ｄ）を算出する      ための前記評価式を用いて、前記カウントされた日数（ｄa ，ｄb ，ｄc ，・・・      ）から、前記演算処理装置（６）により、虫の成長期間（Ｄ）を算出するステップ      と、
５) 前記算出された虫の成長期間（Ｄ）を、伝達媒体（８）を通じて監視者に知らせる      ステップと、
を有することを特徴とする方法。
【０００７】
５．建物内または室内の雰囲気の温度を検出するセンサ（１）と、そのセンサ（１）によって検出されたデ−タを記憶する記録装置（３）と、前記記録装置（３）から入力された前記デ−タを演算処理するコンピュ−タ本体（５）の演算処理装置（６）と、温度評価レベル（Ａ，Ｂ，Ｃ，・・・）および虫の成長期間（Ｄ）を予測するための計算式が記録されている記録媒体（７）と、並びに前記演算処理装置（６）の処理によって得られた情報を入力して監視者に伝達するための伝達媒体（８）とが備えられている、建物内または室内の虫の成長期間（Ｄ）を予測するシステムであって、前記演算処理装置（６）が、
１) 前記センサ（１）によりｄ日間にわたり断続的に検出されて、前記記録装置（３）に記憶された前記ｄ日間の単位日数毎の代表的な温度を前記記録媒体（７）に記録されている温度評価レベル（Ａ，Ｂ，Ｃ，・・・）と順次照合して、これらの温度が前記温度評価レベル（Ａ，Ｂ，Ｃ，・・・）のどれに該当するかを識別し、
２) 前記１) の識別操作がｄ日間にわたり繰り返されることによって識別される前記温度評価レベル（Ａ，Ｂ，Ｃ，・・・）のうちの各レベル（Ａ，Ｂ，Ｃ，・・・）に該当する日数（ｄa ，ｄb ，ｄc ，・・・）をそれぞれカウントし、
３) 前記日数（ｄa ，ｄb ，ｄc ，・・・）と、その日数の合計日数である前記温度測定した日数（ｄ）と、前記温度評価レベルの各レベル（Ａ，Ｂ，Ｃ，・・・）に対応してそれぞれ予め定められている係数（ａ，ｂ，ｃ，・・・）と、虫の種類により特定される固有の最短成長日数（Ｘ）とに基づいてその虫の成長期間（Ｄ）を算出するための前記計算式を用いて、前記カウントされた日数（ｄa ，ｄb ，ｄc ，・・・）から、虫の成長期間（Ｄ）を算出し、
４) 前記算出された虫の成長期間（Ｄ）を伝達媒体（８）に出力する、
機能を有することを特徴とするシステム。
【０００８】
６．建物内または室内の雰囲気の温度を検出するセンサ（１）、そのセンサ（１）によって検出されたデータを記憶する記録装置（３）、温度範囲によって予め定められた温度評価レベル（Ａ，Ｂ，Ｃ，・・・）を用いて前記デ−タを演算処理するコンピュ−タ本体（５）の演算処理装置（６）、および前記演算処理装置（６）の処理によって得られた情報を監視者に知らせる伝達媒体（８）を使用する建物内または室内における虫の成長期間（Ｄ）を予測する方法であって、
１) 前記センサ（１）によりｄ日間にわたり断続的に検出されて、前記記録装置（３）に記憶された前記ｄ日間の単位日数毎の代表的な温度を前記温度評価レベルと順次照合して、これらの各温度が前記温度評価レベル（Ａ，Ｂ，Ｃ，・・・）のどれに該当するかを識別するステップと、
２) 前記１) の識別操作がｄ日間にわたり繰り返されることによって識別される前記温度評価レベル（Ａ，Ｂ，Ｃ，・・・）のうちの各レベル（Ａ，Ｂ，Ｃ，・・・）に該当する日数（ｄa ，ｄb ，ｄc ，・・・）をそれぞれカウントするステップと、
３) 前記２) の操作によってカウントされた日数（ｄa ，ｄb ，ｄc ，・・・）から、計算式を用いて、虫の成長期間（Ｄ）を算出するステップと、
４）前記算出された虫の成長期間（Ｄ）を伝達媒体（８）に入力させるステップと、
を有する方法を、コンピュ−タに実行させるためのプログラム、デ−タ、および前記日数（ｄa ，ｄb ，ｄc ，・・・）と、その日数の合計日数である前記温度測定日数（ｄ）と、前記温度評価レベルの各レベル（Ａ，Ｂ，Ｃ，・・・）に対応してそれぞれ予め定められている係数（ａ，ｂ，ｃ，・・・）と、虫の種類により特定される固有の最短成長日数（Ｘ）に基づいてその虫の成長期間（Ｄ）を算出するための前記計算式が記録されている、コンピュ−タ読み取り可能な記録媒体、
のいずれかによって解決される。
【０００９】
これらの本発明に包含されるその他の有利な構成要件はそれぞれの従属請求項に記載されている。
なお、本発明の基本的な考え方並びに特徴から、記録媒体については、（Ｉ）虫の生育・活動し易さの予測方法に係わる本発明に用いられるものと、（ＩＩ）虫の成長期間の予測方法に係わる本発明に用いられるもの（以下、本発明をこのように区別して指す場合には、前者を（Ｉ）の発明と略称し、そして後者を（ＩＩ）の発明と略称することにし、両者を纏めて指す場合には、これまでと同様、単に本発明と称することにする。）との機能を併せ持つものとして、すなわち（Ｉ）の発明における前記１）〜７）のステップを有する方法および（ＩＩ）の発明における前記１）〜４）のステップを有する方法のどちらをもコンピュ−タに実行させることができるプログラム、デ−タおよび虫の成長期間（Ｄ）を算出するための計算式が記録されているコンピュ−タ読み取り可能な記録媒体を作製して、この記録媒体が（Ｉ）の発明と（ＩＩ）の発明のどちらにも使用できるようにすることも、すなわち（Ｉ）の発明と（ＩＩ）の発明の両方に共用できる記録媒体を作製することも勿論可能であって、このような記録媒体も本発明の範囲内にある。
【００１０】
上述した本発明のシステムはいずれも、モニタリング機能、デ−タ管理機能および環境アドバイス機能を有する。次いで、これらの機能について説明する。
（Ａ）モニタリング機能
建物内または室内の所定の箇所の温度をリアルタイムにパソコンのディスプレイ上で表示する機能である。重点監視項目として温度、および後で詳しく説明される、温度評価レベル（Ａ，Ｂ，Ｃ，・・・）、虫の生育・活動し易さを指標化して導入された虫の生育・活動予測レベル（Ｐ，Ｑ，Ｒ，・・・）および虫の成長期間（Ｄ）があり、これによって虫の生育・活動し易さの程度、およびその虫の成長期間を的確に予測するものである。
【００１１】
ディスプレイ上に表示された監視画面や測定場所のグラフ表示等を通じて、即座に建物内または室内の虫の生育・活動し易さ、およびそれに基づく虫の成長期間を的確に把握できる機能を備えている。計測、識別、判定、算出および予測された全デ−タはデ−タベ−ス等の記録媒体中に蓄積され、一括管理される。
（Ｂ）デ−タ管理機能
本機能は計測、識別、判定、算出および予測されたデ−タを調査箇所別に自動記録し、必要に応じて過去のデ−タを検索・抽出する機能である。このデ−タ管理機能の主な機能は次の通りである。
【００１２】
ａ) 環境診断
建物内または室内に保管されている保存物等を囲む環境状況を即座に把握し、的確な環境予測、すなわち本発明においては、虫の生育・活動し易さ、および虫の成長期間の予測、をサポ−トする機能である。
【００１３】
過去および現在の計測デ−タは、それらを経時変化や分布図等で表示することにより、時間を追って変化していく環境の状況をいち早く察知できるため、保存環境が悪化した場合、それに対して迅速に対処することができる。
ｂ) 管理シ−トの作成
美術館等の環境管理作業である、例えば日報や月報を自動的に作成する機能である。
【００１４】
このような日常の作業労務を軽減することは業務を効率化すると同時に、コンピュ−タ管理で管理シ−トを作成することによって、手作業による煩わしい書類の作成等が削減されて、一層の業務改善を図ることができる。
ｃ) システム設計
本発明で使用するソフトウェアでは、設定条件の変更に対して柔軟に対応できるシステム設定機能を導入しているため、例えば、建物等の増改築や室内のレイアウト等の変更または管理シ−トの記載方法の変更等にもフレキシブルに対応できる。
（Ｃ）環境アドバイス機構
例えば、文化財に関する知識、その保存環境に悪影響を及ぼす要因、例えば、虫の生育・活動に対する対策等の情報をブラウザ形式で即時に閲覧できる機能も備えることができる。
【００１５】
すなわち、虫の生育・活動並びにその虫の成長期間について予測診断された結果をディスプレイ上に表示するだけでなく、この機能を活用することにより、環境管理における様々な問題に対して、より適切な判断に基づく対策を講ずることが可能になる。
【００１６】
【発明の実施の形態】
以下に、図面を参照しながら、先ず、（Ｉ）虫の生育・活動し易さの予測方法に係わる本発明について詳しく説明する。
図１は、建物内または室内の虫の生育・活動し易さその虫の成長期間について予測する本発明方法を実施するためのシステムを示すシステム構成図である。
【００１７】
本発明のシステムは、環境について監視すべき建物内または室内の所定の測定個所に設置された、例えば、温度センサ１等のセンサ１、入力装置２、デジタル記録計のような記録装置３、出力装置４、コンピュ−タ本体５を構成する、例えば、ＣＰＵ（中央処理装置）としての演算処理装置６およびプログラム並びにデ−タ等を記憶するハ−ドディスク、フロッピ−ディスクまたはＲＡＭ等の記録媒体７、並びにコンピュ−タによって得られた情報を監視者に伝えるディスプレイまたはプリンタ等の伝達媒体８から構成される。
【００１８】
センサ１で計測（検出）された温度に相当するデ−タは入力装置２を経由して記録装置３に送信され、一時的にそこの内蔵メモリに記録される。このデ−タは本発明のシステム起動時にコンピュ−タ本体５に伝送されて管理、活用される。したがって、管理者は、建物または室内等にいなくても、離れた場所から、その建物または室内の虫の生育・活動し易さの予測診断の結果を、所望の時間にわたって、例えば、２４時間にわたり、いつでも伝達媒体８を通して知ることができる。
【００１９】
図２は、本発明の虫の生育・活動し易さを予測する方法の処理の流れを示すフロ−チャ−トである。
この方法の処理はコンピュ−タ本体５中で実行される。このとき使用される温度評価レベル（Ａ，Ｂ，Ｃ・・・）は、対象とする虫の種類に応じて、例えば、Ｔを建物内または室内の温度として、
Ｔが５℃以下の温度、または３５℃以上の温度（Ｔ≦５℃，Ｔ≧３５℃）である場合をレベルＡ、すなわち虫の生育・活動が殆ど完全に抑えられるレベル、
Ｔが５℃を越えて２５℃よりも低い温度であるか、または３０℃以上で３５℃よりも低い温度（５℃＜Ｔ＜２５℃）である場合をレベルＢ、すなわち虫の生育・活動が中程度に活発になるレベル、そして
Ｔが２５℃以上で３０℃よりも低い温度（２５℃≦Ｔ＜３０℃）である場合をレベルＣ、すなわち虫の生育・活動が最も活発になるレベル、
と予め定められる。
【００２０】
この建物内または室内の温度：Ｔは、或る日数の間のうち、例えば１日のうちのどの時刻におけるものでもよいが、好ましくは、それぞれの測定日または時刻について互いに対等に比較し得る温度であれば良く、例えば、各１日の１つまたは２つ以上の予め定められた時刻における温度としてもよく、あるいは、例えば１日毎の平均温度と定義することもできる。
【００２１】
この温度評価レベル（Ａ，Ｂ，Ｃ・・・）と、それに対応する上記の温度区分は、勿論、対象とする虫の種類に応じて変化し、また、同じ種類の虫であってもこのレベルの数およびそれに付随する温度区分を適宜変更して、これらを設定することができる。すなわち、この温度評価レベル（Ａ，Ｂ，Ｃ・・・）はそれぞれの種類の虫の生態観察、生活史の観察等に基づく虫の生物学的な特徴を参考にして、好ましくはその統計学的な観察結果に基づいて設定される。
【００２２】
対象とする虫としては、例えば、文化財害虫としてシバンムシ、ヒラタキクイムシ、ナガシンクイムシ、シミ、カツオブシムシ、ヒョウホンムシおよびミゾカシラシロアリ等が挙げられ、そしてこれらの虫を駆除するために用いられる燻蒸剤としては、例えば、臭化メチル、酸化エチレン、フッ化サイフリル、シフェノトリンおよびエムベントリン等が挙げられる。
【００２３】
つぎに、虫の生育・活動し易さを予測する本発明方法の処理の流れを具体的に示している図２のフロ−チャ−トに基づいて、本発明を経時的に説明する。
先ず初めに、温度センサからなるセンサ１が、虫の生育・活動し易さについて予測すべき建物内または室内の雰囲気の温度を所定の期間にわたり断続的にＮ回検出する。ついでコンピュ−タ本体５内の演算処理装置６が、その検出された各温度を順次、前述の温度評価レベルと照合し、これらの温度が前記温度評価レベルＡ，Ｂ，Ｃ，・・・のうちのどれに該当するかを識別する。そして、この演算処理装置６が、その識別操作を所定の期間にわたりＮ回繰返し、このＮ回の識別操作によって識別された温度評価レベルＡ，Ｂ，Ｃ，・・・の各々の頻度ｎa ，ｎb ，ｎc ，・・・、つまり、各レベル毎の適合回数をそれぞれカウントする。ついで、演算処理装置６が、各レベルＡ，Ｂ，Ｃ，・・・毎に求めた頻度ｎa ，ｎb ，ｎc ，・・・の、測定回数Ｎに対する比の値、すなわち  ｎa ／Ｎ ,  ｎb ／Ｎ ,  ｎc ／Ｎ ,・・・をそれぞれ算出する。ついで、演算処理装置６が、これらの比の値ｎa ／Ｎ ,  ｎb ／Ｎ ,  ｎc ／Ｎ ,・・・のうちから選ばれる少なくとも２種の値の合計値を算出し、そして前記比の値（ｎa ／Ｎ ,  ｎb ／Ｎ ,ｎc ／Ｎ ,・・・のうちのいずれか１種の比の値、これらの比の値のうちから選ばれる少なくとも２種の比の値の合計値および前記頻度（ｎa ，ｎb ，ｎc ，・・・のうちから選ばれる１つまたは２つ以上の値または頻度またはこの両者を、これらについ予め設定され、かつ前記記録媒体（７）に記録されている、区分された１つまたは複数の数値範囲または頻度の大小関係またはこの両者で表される評価式で構成される虫の生育・活動予測レベル（Ｐ，Ｑ，Ｒ，Ｓ，・・・）と順次照合して、前記値または頻度またはこの両者が前記虫の生育・活動予測レベル（Ｐ，Ｑ，Ｒ，Ｓ，・・・）のどれに相当するかを判定し、そしてその判定された虫の生育・活動予測レベルを、それぞれ虫の生育・活動し易さを予測するための目安として、ディスプレイ等の伝達媒体８を通じてコンピュ−タ制御により、随時監視者に知らせる。
【００２４】
この予測の目安として使用される虫の生育・活動予測レベルＰ，Ｑ，Ｒ，Ｓを示す評価式は、前述の説明にしたがって、例えば、次のように、すなわち
(1) ０．８＜（ｎa ／Ｎ）・・・虫が殆ど生育・活動できない環境−−→虫の生育・活動予測レベルＰ、
(2) （ｎa ／Ｎ）＜０．５；０＜（ｎb ／Ｎ）＋（ｎc ／Ｎ）＜０．５；かつ
ｎc ＜ｎb ・・・虫がやや生育・活動できる環境−−→虫の生育・活動予測レベルＱ、
(3) （ｎa ／Ｎ）＜０．５；０＜（ｎb ／Ｎ）＋（ｎc ／Ｎ）＜０．５；かつ
ｎb ＜ｎc ・・・虫がかなり生育・活動できる環境−−→虫の生育・活動予測レベルＲ、および
(4) ０．８＜（ｎc ／Ｎ）・・・虫が最も活発に生育・活動できる環境−−→虫の生育・活動予測レベルＳ、
のように定められ、そしてこれらの評価式(1) 〜(4) に応じて、虫の生育・活動予測レベルＰ，Ｑ，Ｒ，Ｓを上記のように対応させることができる。
【００２５】
つまり、これらのレベルに相当する離散値 ( 0, 0.5, 0.8等) は予め記録媒体７中に記録しておき、虫の生育・活動予測レベルを判定する時にコンピュ−タ本体５中の演算処理装置６（ＣＰＵ）が上の評価式を実行して、その結果を記録媒体７から呼出したこれらの離散値と比較して、虫の生育・活動し易さを予測している。これらの判定された結果はモニタリング機能によって上述のごとく「虫が最も活発に生育・活動できる環境」である、等のメッセ−ジとしてディスプレイ等の伝達媒体８により表示され、必要に応じてデ−タ管理機能または環境アドバイス機能で利用される。
【００２６】
なお、処理回数Ｎの数は任意に設定できる。例えば、１日に１時間ごとに測定するとすれば１日あたり２４回となり、これを一週間続けると規定すれば２４×７日＝１６８回測定することになる。当然のことであるが、或る測定から次の測定までの時間間隔は、測定回数Ｎ全体にわたりなるべく等しいか、ほぼ等しいのが、正確な情報を得る上で好ましい。
【００２７】
上に述べた本発明のシステムの作動環境は、例えば、既存のオペレ−ティングシステム（例えば、 Windows 95 ）対応であり、基本ソフト、通信ソフトおよびデ−タベ−スソフトも市販のものを使用することができる。
つぎに、図面を参照しながら（ＩＩ）の発明について詳しく説明する。ただし、上述の（Ｉ）の発明と同様である点は省いて、この（Ｉ）の発明とは異なる点について説明する。
【００２８】
（ＩＩ）の発明を実施する場合にも、前記図１に構成図として示されるシステムが用いられる。
このシステムではｄ日間にわたり単位日数毎の代表的な温度が断続的に測定、記録そして照合されるが、この代表的な温度は、それぞれの測定日について互いに対等に比較し得る温度であれば良く、例えば、１日の中で予め定められた時刻、例えば好ましくは１日中で、１日のうちの平均温度に近い温度を示すような時刻の温度、あるいは１日の中で所定の時刻に２回以上測定された温度の平均値としてもよい。単位日数としては、その日数が余り多過ぎなければ、原則として、どのような日数でも採用できるけれども、一般には１日を単位日数とするのが便利であり、また、例えば１／２日、１／４日または１／８日を単位日数とすることもできる。
【００２９】
勿論、この（ＩＩ）の発明においても、監視者（管理者）は、監視されるべき建物内または室内のそれぞれの所定の場所にいなくても、離れた場所から、その建物内または室内の虫の成長期間の予測結果を所望の時間にわたり、いつでも伝達媒体８を通して知ることができる。
図３は、本発明の虫の成長期間を予測する本発明方法の処理の流れを示すフロ−チャ−トであり、この図３に基づいて、（ＩＩ）の発明を経時的に説明する。
【００３０】
この発明の処理もコンピュ−タ本体５中で実行される。このとき使用される温度評価レベル（Ａ，Ｂ，Ｃ・・・）は、前記（Ｉ）の発明について述べたものと同様である。
先ず初めに、温度センサからなるセンサ１が、虫の成長期間について予測すべき建物内または室内の雰囲気の温度を所定の期間、すなわちｄ日間にわたり断続的に任意の所定の回数検出する。この温度は前述のように定義または定められる温度として測定される。
【００３１】
ついでコンピュ−タ本体５内の演算処理装置６が、その検出されて前記記録装置（３）に記憶されているた各温度を順次、前記記録媒体に記録されている温度評価レベルと照合し、これらの温度が前記温度評価レベルのうちのどれに属するかを識別する。そして、この演算処理装置６が、その識別操作を所定の日数、すなわちｄ日間繰返えすことによって識別される前記温度評価レベルのうちの各レベル（Ａ，Ｂ，Ｃ，・・・）に該当する日数（ｄa ，ｄb ，ｄc ，・・・）をそれぞれカウントする。
【００３２】
つぎに、このカウントされた日数（ｄa ，ｄb ，ｄc ，・・・）と、この日数に、すなわち前記温度評価レベル（Ａ，Ｂ，Ｃ・・・）に対応してそれぞれ予め定められている各係数（ａ，ｂ，ｃ，・・・）、測定日数（ｄ）および対称とする虫の種類に固有の最短成長日数（Ｘ）とから、その虫の成長期間（Ｄ）を算出するための計算式に基づき、演算処理装置６により、前記日数（ｄa ，ｄb ，ｄc ，・・・）から虫の成長期間（Ｄ）を算出する。この計算式は記録媒体７に予め記録されている。
【００３３】
この計算式としては、例えば、下記のような計算式が用いられる。
Ｄ＝｛（ａ・ｄa ＋ｂ・ｄb ＋ｃ・ｄc ＋・・・）／ｄ｝×Ｘ
〔式中、Ｄ、ａ，ｂ，ｃ，・・・、ｄa ，ｄb ，ｄc ，・・・、ｄおよびＸは、いずれも前述の意味を表し、ｄa ＋ｄb ＋ｄc ＋・＋・＋・＝ｄである。〕
ここで、虫の種類に固有の最短成長日数（Ｘ）とは、その虫にとって最適の環境、すなわち最も活発に、すなわち最も速やかに生育・活動が進行する温度において虫が産卵されてから成虫の死に至までの自然の１サイクルの日数を意味し、これを図解すれば、例えば図４のようになる。この温度は、例えば、（Ｉ）の発明について説明された前記温度評価レベルのうちのレベルＣに対応する温度である。図４に例示された虫では、最も活発に生育・活動が進む温度条件の下で、産卵されてから孵化するまでの卵の期間が６日，卵が孵ってから幼虫である期間が２３日，蛹の期間が１１日，そして成虫の期間が４０日となる。したがって、この虫の最短成長日数（Ｘ）は６＋２３＋１１＋４０＝８０日である。勿論、虫の種類によっては、最も活発に生育・活動が進む温度条件ばかりでなく、これらの個々の日数が上記の例と異なってくることは当然であるが、卵→幼虫→蛹→成虫という変化とは異なる変化を示す場合もあることは言うまでもない。
【００３４】
前記係数（ａ，ｂ，ｃ，・・・）は、例えば、前記温度評価レベル（Ａ，Ｂ，Ｃ・・・）または前記日数（ｄa ，ｄb ，ｄc ，・・・）が虫の種類に固有の最短成長日数（Ｘ）（上記の例では８０日）に及ぼす影響度の大小に応じて、生物学上経験的にまたは統計的に適宜定められる係数である。
演算処理装置６によってこのように算出され、そして伝達媒体８を通して管理者に知らされる虫の成長期間（Ｄ）は、例えば、次のようにして利用される。
【００３５】
上述のような生活史を繰り返し、そしてその最短成長日数（Ｘ）が８０日である、このような種の虫について、燻蒸後３０日間から、すなわち卵以外の状態にある虫が全て死滅して、卵だけが残っている状態になった日から３０日の間、本発明の（ＩＩ）の方法により、建物内または室内の温度を検出してコンピュ−タ処理を施したところ、
レベルＡ（係数ａ＝２．５）の環境：１０日間（ｄa ）
レベルＢ（係数ｂ＝１．５）の環境：１５日間（ｄb ）
レベルＣ（係数ｃ＝１．０）の環境：  ５日間（ｄc ）
であったとすると、
成長期間（Ｄ）＝｛（２．５×１０＋１．５×１５＋１．０×５）／３０｝×８０日＝１４０日  となる。
【００３６】
したがって、ここの時点、すなわち燻蒸してから３０日目における、この虫の駆除のために対して燻蒸すべき最適の時期、すなわちこの虫が成虫となっている時期は、その日から１４０日−３０日−４０日後と１４０日−３０日後との間、すなわち７０日後と１１０日後との間にあるものと予測される。
このような燻蒸に最適の時期は、この日数を計算するための計算式も記録されている前記記録媒体７を用いることにより、必要に応じて、虫の成長期間（Ｄ）とともにディスプレイ等の伝達媒体８により表示され、更に必要に応じてデ−タ管理機能または環境アドバイス機能で利用される。
【００３７】
【発明の効果】
以上述べた説明から明らかなように、本発明によれば、管理者（監視者）が測定個所から遠く離れ場所にいても、コンピュ−タ制御されているシステムによって、建物内または室内における虫の生育・活動し易さの程度、並びにその虫の成長期間を精密に、かつディスプレイ等を通じて容易にいつでも、あるいは常時監視できるばかりでなく、また、監視結果（環境デ−タおよび判定結果）は記録媒体に自動記録されるため、過去のそれらのデ−タさえも随時に、かつ瞬時に検索することができ、したがって、従来、管理者が巡回による観察に頼らなければならなかった虫の生育・活動状況の把握がコンピュ−タの自動的な処理によって著しく軽減されるばかりでなく、その虫の成長期間も精密に、かつ容易に知ることができるので、虫を駆除するための防虫剤または燻蒸剤のような薬剤を、その駆除のために的確な時期に適用することができるので、できるだけ少ない回数と量の薬剤で、できるだけ無駄無く、効果的に防虫、殺虫できるという効果も期待することができる。
【図面の簡単な説明】
【図１】本発明の方法を実施するためのシステムを示すシステム構成図である。
【図２】本発明の虫の生育・活動し易さを予測する方法の処理の流れを示すフロ−チャ−トである。
【図３】本発明の虫の成長期間を予測する方法の処理の流れを示すフロ−チャ−トである。
【図４】或る種の虫について、産卵から出発して、幼虫、蛹、そして成虫まで変化する状態を、これらの４種の状態にある各日数とともに示した、虫の生活史を例示した説明図である。
【符号の説明】
１      温度センサ
２      入力装置
３      記録装置
４      出力装置
５      コンピュ−タ本体
６      演算処理装置
７      記録媒体
８      伝達媒体
【図１】
0004219440.tif 000002
【図２】
0004219440.tif 000003
【図３】
0004219440.tif 000004
【図４】
0004219440.tif 000005